(57)【特許請求の範囲】
【請求項１】
ディジタル放送データおよび前記ディジタル放送データにマルチプレクスされて送信されてくる鍵個別情報（ＥＭＭ）を受信する受信手段と、
前記ＥＭＭを記憶するＥＭＭ記憶手段と、
前記受信手段から送られてくる前記ディジタル放送データから前記ＥＭＭを分離して前記ＥＭＭ記憶手段に記憶させることを専用に行うＥＭＭ処理部を内部に有し、前記ディジタル放送データをデスクランブルするトランスポートデコーダと、
記録媒体に記録されたデータを再生し、前記再生されたデータを前記トランスポートデコーダを介して出力する再生手段とを備え、
前記再生手段から前記再生されたデータが出力されている場合であっても、前記トランスポートデコーダ内の前記ＥＭＭ処理部が前記ディジタル放送データから前記ＥＭＭを分離して前記ＥＭＭ記憶手段に記憶させることによって、前記トランスポートデコーダは、前記再生されたデータの出力と並行して、前記ディジタル放送データから前記ＥＭＭを分離して前記ＥＭＭ記憶手段に記憶させることを特徴とするディジタル放送受信再生システム。
【請求項２】
ディジタル放送データおよび前記ディジタル放送データにマルチプレクスされて送信されてくる鍵個別情報（ＥＭＭ）を受信する受信手段と、前記ＥＭＭを記憶するＥＭＭ記憶手段と、前記受信手段から送られてくる前記ディジタル放送データから前記ＥＭＭを分離して前記ＥＭＭ記憶手段に記憶させ、前記ディジタル放送データをデスクランブルするトランスポートデコーダと、記録媒体に記録されたデータを再生し、前記再生されたデータを前記トランスポートデコーダを介して出力する再生手段と、前記再生手段から前記再生されたデータが出力されている時に、前記ディジタル放送データが受信された場合に、前記ディジタル放送データから前記ＥＭＭを分離して、前記再生されたデータにマルチプレクスする多重化手段とを備え、
前記トランスポートデコーダは、前記再生手段から前記再生されたデータが出力されている時に、前記ディジタル放送データが受信された場合に、前記再生されたデータの出力と並行して、前記再生されたデータにマルチプレクスされたＥＭＭを分離して前記ＥＭＭ記憶手段に記憶させることを特徴とするディジタル放送受信再生システム。
【請求項３】
ディジタル放送データおよび前記ディジタル放送データにマルチプレクスされて送信されてくる鍵個別情報（ＥＭＭ）を受信する受信手段と、前記ＥＭＭを記憶するＥＭＭ記憶手段と、前記受信手段から送られてくる前記ディジタル放送データから前記ＥＭＭを分離して前記ＥＭＭ記憶手段に記憶させ、前記ディジタル放送データをデスクランブルするトランスポートデコーダと、記録媒体に記録されたデータを再生し、前記再生されたデータを前記トランスポートデコーダを介して出力する再生手段と、前記再生手段から前記再生されたデータが出力されている時に、前記ディジタル放送データが受信された場合に、前記ディジタル放送データから前記ＥＭＭを分離して一時記憶する一時記憶手段とを備え、前記トランスポートデコーダは、前記再生手段から前記再生されたデータが出力されている時に、前記ディジタル放送データが受信された場合に、前記再生されたデータの出力が終了した後、前記一時記憶手段に記憶された前記ＥＭＭを前記ＥＭＭ記憶手段に記憶させることを特徴とするディジタル放送受信再生システム。
【発明の詳細な説明】
【０００１】
【発明の属する技術分野】
本発明は、ディジタル放送受信再生システムに関するものである。
【０００２】
【従来の技術】
デジタル通信衛星放送は、高能率圧縮された複数の番組のデジタルデータを時分割多重化した状態でデジタル放送波とし、衛星放送を介して放送するものであり、既に一部の国において実用化されており、日本においても実用化に向けて種々の技術検討が行われている。
【０００３】
既に米国において行われているデジタル通信衛星放送サービスに用いられているＭＰＥＧ２は、日本におけるデジタル通信衛星放送サービスでも、採用される予定である。ＭＰＥＧ２おいては、ディジタル放送データは、１８８バイトのデータ量を有するトランスポート・パケット（ＴＰ）を伝送単位とし、ＴＰを時分割多重化したものをトランスポート・ストリーム（ＴＳ）としている。このＴＳが、トランスポンダ（衛星中継器）の個数だけ並列的に伝送されている。各ＴＳには複数の番組のデータが多重化されてされており、ユーザーは任意のトランスポンダの任意の番組を選択して視聴する。
【０００４】
デジタル通信衛星放送は、基本的には有料放送であるため、受信する人を限定する限定受信方式が用いられている。すなわち、画像、音声のＴＰはＴＰ毎に暗号化（スクランブル）されており、これを解く（デスクランブルする）鍵（スクランブル鍵）は、番組の属性情報と共に、番組情報（ＥＣＭ）のＴＰを構成し、映像、音声のＴＰとともに送信される。このＥＣＭのＴＰも暗号化されており、これを解くための鍵（ワーク鍵）は、各ユーザーの契約情報と共に、個別情報（ＥＭＭ）として、各受信機毎に挿入されているＩＣカードの中に記憶されている。ＥＣＭ中の番組の属性情報と、ＥＭＭ中の各ユーザーの契約情報とを照合することによって、どの番組をデスクランブルすることができるかについて判定され、デスクランブルすることができると判定された場合には、スクランブル鍵の使用が許可されて、デスクランブルされた映像、音声データを視聴することが可能になるものである。
【０００５】
上記において、スクランブル鍵を固定すると、既知の信号がスクランブルされた信号等を観測することによって、不正に解読されることが起こるので、スクランブル鍵を時間と共に変えることが必要である。したがって、スクランブル鍵が定期的または不定期的に更新されるたびに、更新されたＥＣＭのＴＰを送信することが必要となる。一方、ワーク鍵および各ユーザーの契約情報から構成されるＥＭＭも、時間と共に更新されるが、この更新期間は一般的に１ヶ月から１年程度と長くてよいので、ＥＭＭについては、番組の映像、音声のＴＰとともに送信する以外に、ＩＣカードのような物理媒体や電話回線のような他の通信手段で送ることも可能である。
【０００６】
ＭＰＥＧ２においては、ＥＭＭを番組の映像、音声のＴＰとともに送信する場合、ＥＭＭの伝送に使用されるＴＰの識別子（ＥＭＭ−ＰＩＤ）は、コンディショナル・アクセス・テーブル（ＣＡＴ）の中で間接的に指定される。このＥＭＭのＴＰも、暗号化されており、これを解く鍵（マスタ鍵）は、各ユーザーのＩＣカードの中に、秘密に格納されたものである。
【０００７】
このような、多重化され、スクランブルされたディジタル放送データを受信して、上記の限定受信方式にしたがって、ユーザーに映像、音声データを提供するとともに、このディジタル放送データを記録媒体に記録再生するシステムとして、以下に示すシステムが考えられている。
【０００８】
図８は、このような、従来のディジタル放送受信再生システムの構成を示すブロック図である。本ディジタル放送受信再生システムは、ＭＰＥＧ２を用いた、通信衛星によるディジタル放送に対応するものである。また、本システムは、ディジタル放送データを記録媒体へ記録する記録機能を有している。
【０００９】
本システムは、受信装置１、記録再生装置２、ディスプレイ３およびアンテナ４から構成されている。
【００１０】
受信装置１は、通信衛星からの電波をアンテナ４を介して受信して、受信装置１内部用の信号に変換するチューナ／復調・誤り訂正部５と、ＥＭＭを記憶するＩＣカード６と、チューナ／復調・誤り訂正部５から送られてくるディジタル放送データからＥＭＭを分離してＩＣカード６に記憶させ、前記ディジタル放送データをデスクランブルするトランスポートデコーダ７と、記録再生装置２とのデータの伝達を行うＤ−Ｉ／Ｆ（ディジタルインターフェイス）８と、Ｄ−Ｉ／Ｆ８のデータ伝達を制御するシステム制御部９と、ディジタル放送データに施された高能率符号化処理等をデコードしてディスプレイ３へ出力するデコーダ１０と、記録時と再生時の切換を行うスイッチ１１とを備えている。記録再生装置２は、受信装置１とのデータの伝達を行うＤ−Ｉ／Ｆ１２と、記録媒体（図示せず）にディジタル放送データを記録し、再生する記録再生部１３と、Ｄ−Ｉ／Ｆ１２のデータ伝達の制御および記録再生部１３の記録再生制御を行う記録再生制御部１４とを備えている。
【００１１】
まず、ディジタル放送データを受信しながら視聴する場合の、本システムの動作について説明する。
【００１２】
チューナ／復調・誤り訂正部５は、アンテナ４を介して、通信衛星のトランスポンダからのディジタル放送波を受信し、そのディジタル放送波を増幅し、周波数変換した後、信号波形を整形して復調し、信号の誤りを訂正して、受信装置１内で使用するディジタル放送データとして出力する。このとき、スイッチ１１は、図８のとおり、接点ａ側に切り換えられている。出力されたディジタル放送データは、スイッチ１１を介して、トランスポートデコーダ７に送られる。
【００１３】
トランスポートデコーダ７は、送られてきたディジタル放送データをデマルチプレクスし、そのＴＳ中のＣＡＴを参照して、前記ＴＳ中にＥＭＭのＴＰが含まれていると判断した場合は、ＥＭＭのデータを前記ディジタル放送データから分離して、ＩＣカード６に更新、記憶させる。ＩＣカード６は、ＥＭＭをマスタ鍵を用いて解読し、解読して得られたワーク鍵を用いてＥＣＭを解読する。さらに、ＩＣカード６は、ＥＭＭ中の各ユーザーの契約情報とＥＣＭ中の番組の属性情報とを照合して、当該番組を視聴する資格があると判定すると（いわゆる、ＣＡ；Ｃｏｎｄｉｔｉｏｎａｌ  Ａｃｃｅｓｓ）、ＥＣＭを解読して得られたスクランブル鍵をトランスポートデコーダ７に渡す。トランスポートデコーダ７は、スクランブル鍵を用いてデマルチプレクス後のＴＳをデスクランブルして、前記ＴＳをストリーム変換し、デコーダ１０へ出力する。デコーダ１０は、これらのデータストリームを復号して、ディスプレイ３、スピーカ（図示せず）等へ出力する。
【００１４】
トランスポートデコーダ７が、前記ディジタル放送データのＴＳ中にＥＭＭのＴＰが含まれていないと判断した場合は、上記説明中の送られてきたＥＭＭの替わりに、ＩＣカード６に記憶されているＥＭＭを用いて、上記説明と同じ手順にて、デマルチプレクス、解読、デスクランブル、ストリーム変換が行われ、デコーダ１０において復号された前記ディジタル放送データのデータストリームが、ディスプレイ３、スピーカ（図示せず）等へ出力される。
【００１５】
次に、ディジタル放送データを記録媒体に記録する場合の、本システムの動作について説明する。
【００１６】
受信しながらの視聴時と同様にして、ディジタル放送データが、チューナ／復調・誤り訂正部５からスイッチ１１を介してトランスポートデコーダ７に送られてくる。このとき、受信しながらの視聴時と同様に、スイッチ１１は、図８のとおり、接点ａ側に切り換えられている。受信しながらの視聴時と同様の手順にして、トランスポートデコーダ７およびＩＣカード６にて、デマルチプレクス、解読、デスクランブルまで行われたＴＳが、Ｄ−Ｉ／Ｆ８を介して、記録再生装置２へ送られる。このとき、システム制御部９は、Ｄ−Ｉ／Ｆ８の出力に対して制御を行う。記録再生装置２において、記録再生部１３は、Ｄ−Ｉ／Ｆ１２を介して、前記ＴＳを受け取り、記録再生制御部１４の制御にしたがって、これを記録媒体（図示せず）に記録する。
【００１７】
なお、トランスポートデコーダ７にて、前記ディジタル放送データのＴＳのデスクランブルおよびデマルチプレクスを行わずに記録すること、あるいは、デスクランブルを行わずに記録することも想定される。この場合は、当該ディジタル放送データは、トランスポートデコーダ７をスルーし、あるいは、トランスポートデコーダ７でデマルチプレクスのみ行われた後、Ｄ−Ｉ／Ｆ８を介して、記録再生装置２へ送られる。このとき、システム制御部９は、Ｄ−Ｉ／Ｆ８の出力に対して制御を行う。記録再生装置２において、記録再生部１３は、Ｄ−Ｉ／Ｆ１２を介して、前記ＴＳを受け取り、記録再生制御部１４の制御にしたがって、これを記録媒体（図示せず）に記録する。
【００１８】
なお、受信したＴＳ中にＥＭＭのＴＰが含まれているか否か、それぞれの場合のデスクランブルまでの手順は、受信しながらの視聴時の手順に準ずる。ただし、前記ＴＳ中にＥＭＭのＴＰが含まれている場合は、このＴＰを抽出するためのデマルチプレクスが必要となる。また、受信しながら視聴することと並行して、記録媒体に記録することも可能である。さらに、ディジタル放送データとともに、ＩＣカード６に記憶されている情報の一部を記録媒体に記録させる必要がある場合、記録時に、システム制御部９は、必要な情報をＩＣカード６から抽出し、コマンド形式に変換して、Ｄ−Ｉ／Ｆ８を介して、記録再生装置２へ送り、記録再生制御部１４は、Ｄ−Ｉ／Ｆ１３を介して、これを受け取り、これを記録媒体に記録できる形式に変換し、記録再生部１３によって、ディジタル放送データが記録される記録媒体に記録させることも可能である。
【００１９】
次に、ディジタル放送データを記録媒体から再生する場合の、本システムの動作について説明する。
【００２０】
記録再生部１３は、記録媒体（図示せず）に記録されたディジタル放送データのＴＳを再生し、記録再生制御部１４の制御にしたがって、Ｄ−Ｉ／Ｆ１２を介して、これを受信装置１へ送る。受信装置１において、スイッチ１１は、接点ｂ側に切り換えられている。したがって、記録再生装置２から送られてきたＴＳは、Ｄ−Ｉ／Ｆ８およびスイッチ１１を介して、トランスポートデコーダ７に送られる。このＴＳが、デスクランブルまで行われたものであれば、トランスポートデコーダ７は、このＴＳをストリーム変換し、デコーダ１０へ出力する。デコーダ１０は、これらのデータストリームを復号して、ディスプレイ３、スピーカ（図示せず）等へ出力する。
【００２１】
前記ＴＳがデスクランブルを行われずに記録されている場合は、上記と同様にしてトランスポートデコーダ７に送られてきた前記ＴＳは、トランスポートデコーダ７およびＩＣカード６において、受信しながらの視聴時と同じ手順にて、デマルチプレクス（前記ＴＳがデマルチプレクスされずに記録されている場合）、解読、デスクランブル、ストリーム変換が行われ、デコーダ１０において復号された前記ディジタル放送データのデータストリームが、ディスプレイ３、スピーカ（図示せず）等へ出力される。
【００２２】
【発明が解決しようとする課題】
上述した従来のディジタル放送受信再生システムにおいては、記録媒体に記録されたデータを再生中に、新しいＥＭＭ（更新用のＥＭＭ）のＴＰが含まれているディジタル放送データのＴＳが送信されてきた場合、トランスポートデコーダ７は、再生されたデータのストリーム変換等を行っているため、送信されてきたＴＳからＥＭＭのデータを分離して、ＩＣカード６に更新、記憶させることができない。したがって、ＥＭＭの更新は行われず、更新後のＥＭＭに対応する番組の視聴に支障を来すことになる。
【００２３】
上記の対策としては、送信側が、更新用のＥＭＭのＴＰを含んだディジタル放送データのＴＳの発信時刻を、ユーザーに明示して、その時刻には、再生を行わないように指導することが考えられるが、多数のユーザーに対して、それぞれの更新用のＥＭＭのＴＰを含んだディジタル放送データのＴＳの発信時刻を明示することは困難であり、明示することが可能であるとしても、ユーザーの選択を制限することになり、サービスの低下につながってしまう。
【００２４】
本発明は、このような従来のディジタル放送受信再生システムの上述した課題を考慮し、記録媒体に記録されたデータの再生にかかわらず、確実にＥＭＭを更新できるディジタル放送受信再生システムを提供することを目的とするものである。
【００２５】
【課題を解決するための手段】
上述した課題を解決するために、請求項１の本発明は、ディジタル放送データおよび前記ディジタル放送データにマルチプレクスされて送信されてくる鍵個別情報（ＥＭＭ）を受信する受信手段と、前記ＥＭＭを記憶するＥＭＭ記憶手段と、前記受信手段から送られてくる前記ディジタル放送データから前記ＥＭＭを分離して前記ＥＭＭ記憶手段に記憶させることを専用に行うＥＭＭ処理部を内部に有し、前記ディジタル放送データをデスクランブルするトランスポートデコーダと、記録媒体に記録されたデータを再生し、前記再生されたデータを前記トランスポートデコーダを介して出力する再生手段とを備え、前記再生手段から前記再生されたデータが出力されている場合であっても、前記トランスポートデコーダ内の前記ＥＭＭ処理部が前記ディジタル放送データから前記ＥＭＭを分離して前記ＥＭＭ記憶手段に記憶させることによって、前記トランスポートデコーダは、前記再生されたデータの出力と並行して、前記ディジタル放送データから前記ＥＭＭを分離して前記ＥＭＭ記憶手段に記憶させることを特徴とするディジタル放送受信再生システムである。
【００２７】
請求項２の本発明は、ディジタル放送データおよび前記ディジタル放送データにマルチプレクスされて送信されてくる鍵個別情報（ＥＭＭ）を受信する受信手段と、前記ＥＭＭを記憶するＥＭＭ記憶手段と、前記受信手段から送られてくる前記ディジタル放送データから前記ＥＭＭを分離して前記ＥＭＭ記憶手段に記憶させ、前記ディジタル放送データをデスクランブルするトランスポートデコーダと、記録媒体に記録されたデータを再生し、前記再生されたデータを前記トランスポートデコーダを介して出力する再生手段と、前記再生手段から前記再生されたデータが出力されている時に、前記ディジタル放送データが受信された場合に、前記ディジタル放送データから前記ＥＭＭを分離して、前記再生されたデータにマルチプレクスする多重化手段とを備え、前記トランスポートデコーダは、前記再生手段から前記再生されたデータが出力されている時に、前記ディジタル放送データが受信された場合に、前記再生されたデータの出力と並行して、前記再生されたデータにマルチプレクスされたＥＭＭを分離して前記ＥＭＭ記憶手段に記憶させることを特徴とするディジタル放送受信再生システムである。
【００２８】
請求項３の本発明は、ディジタル放送データおよび前記ディジタル放送データにマルチプレクスされて送信されてくる鍵個別情報（ＥＭＭ）を受信する受信手段と、前記ＥＭＭを記憶するＥＭＭ記憶手段と、前記受信手段から送られてくる前記ディジタル放送データから前記ＥＭＭを分離して前記ＥＭＭ記憶手段に記憶させ、前記ディジタル放送データをデスクランブルするトランスポートデコーダと、記録媒体に記録されたデータを再生し、前記再生されたデータを前記トランスポートデコーダを介して出力する再生手段と、前記再生手段から前記再生されたデータが出力されている時に、前記ディジタル放送データが受信された場合に、前記ディジタル放送データから前記ＥＭＭを分離して一時記憶する一時記憶手段とを備え、前記トランスポートデコーダは、前記再生手段から前記再生されたデータが出力されている時に、前記ディジタル放送データが受信された場合に、前記再生されたデータの出力が終了した後、前記一時記憶手段に記憶された前記ＥＭＭを前記ＥＭＭ記憶手段に記憶させることを特徴とするディジタル放送受信再生システムである。
【００３２】
【発明の実施の形態】
以下に、本発明の実施の形態を図面を参照して説明する。
【００３３】
（第１の実施の形態）
以下に、本発明の第１の実施の形態を図面を参照して説明する。
【００３４】
図１は、本発明の第１の実施の形態におけるディジタル放送受信再生システムの構成を示すブロック図である。図中の符号は、図８の従来例のものと呼称が同じものについては、便宜上、同じにしてある。本ディジタル放送受信再生システムは、ＭＰＥＧ２を用いた、通信衛星によるディジタル放送に対応するものである。また、本システムは、ディジタル放送データを記録媒体へ記録する記録機能を有している。
【００３５】
本実施の形態におけるディジタル放送受信再生システムは、受信装置１、記録再生装置２、ディスプレイ３およびアンテナ４から構成されている。
【００３６】
受信装置１は、通信衛星からの電波をアンテナ４を介して受信して、受信装置１内部用の信号に変換するチューナ／復調・誤り訂正部５と、ＥＭＭを記憶するＩＣカード６と、チューナ／復調・誤り訂正部５から送られてくるディジタル放送データからＥＭＭを分離してＩＣカード６に記憶させることを専用に行うＥＭＭ処理部１５を有し、前記ディジタル放送データをデスクランブルするトランスポートデコーダ７と、記録再生装置２とのデータの伝達を行うＤ−Ｉ／Ｆ８と、Ｄ−Ｉ／Ｆ８のデータ伝達を制御するシステム制御部９と、ディジタル放送データに施された高能率符号化処理等をデコードしてディスプレイ３へ出力するデコーダ１０とを備えている。記録再生装置２は、受信装置１とのデータの伝達を行うＤ−Ｉ／Ｆ１２と、記録媒体（図示せず）にディジタル放送データを記録し、再生する記録再生部１３と、Ｄ−Ｉ／Ｆ１２のデータ伝達の制御および記録再生部１３の記録再生制御を行う記録再生制御部１４とを備えている。ここで、ＩＣカード６は本発明のＥＭＭ記憶手段の機能を有している。
【００３７】
次に、このような本実施の形態の動作を説明する。
【００３８】
まず、ディジタル放送データを、受信しながら視聴する場合の、本実施の形態におけるディジタル放送受信再生システムの動作について説明する。
【００３９】
チューナ／復調・誤り訂正部５は、アンテナ４を介して、通信衛星のトランスポンダからのディジタル放送波を受信し、そのディジタル放送波を増幅し、周波数変換した後、信号波形を整形して復調し、信号の誤りを訂正して、受信装置１内で使用するディジタル放送データとして出力する。出力されたディジタル放送データは、トランスポートデコーダ７のＥＭＭ処理部１５に送られる。
【００４０】
ＥＭＭ処理部１５は、送られてきたディジタル放送データをデマルチプレクスし、そのＴＳ中のＣＡＴを参照して、前記ＴＳ中にＥＭＭのＴＰが含まれていると判断した場合は、ＥＭＭのデータを前記ディジタル放送データから分離して、ＩＣカード６に更新、記憶させる。ＩＣカード６は、ＥＭＭをマスタ鍵を用いて解読し、解読して得られたワーク鍵を用いてＥＣＭを解読する。さらに、ＩＣカード６は、ＥＭＭ中の各ユーザーの契約情報とＥＣＭ中の番組の属性情報とを照合して、当該番組を視聴する資格があると判定すると（いわゆる、ＣＡ；Ｃｏｎｄｉｔｉｏｎａｌ  Ａｃｃｅｓｓ）、ＥＣＭを解読して得られたスクランブル鍵をトランスポートデコーダ７に渡す。前記ＴＳはＥＭＭ処理部１５からトランスポートデコーダ７本体に送られ、トランスポートデコーダ７本体は、スクランブル鍵を用いてデマルチプレクス後のＴＳをデスクランブルして、前記ＴＳをストリーム変換し、デコーダ１０へ出力する。デコーダ１０は、これらのデータストリームを復号して、ディスプレイ３、スピーカ（図示せず）等へ出力する。
【００４１】
ＥＭＭ処理部１５が、前記ディジタル放送データのＴＳ中にＥＭＭのＴＰが含まれていないと判断した場合は、前記ＴＳはデスクランブルされた後、トランスポートデコーダ７本体に送られ、上記説明中の送られてきたＥＭＭの替わりに、ＩＣカード６に記憶されているＥＭＭを用いて、上記説明と同じ手順にて、解読、デスクランブル、ストリーム変換が行われ、デコーダ１０において復号された前記ディジタル放送データのデータストリームが、ディスプレイ３、スピーカ（図示せず）等へ出力される。
【００４２】
次に、ディジタル放送データを記録媒体に記録する場合の、本実施の形態におけるディジタル放送受信再生システムの動作について説明する。
【００４３】
受信しながらの視聴時と同様にして、ディジタル放送データが、チューナ／復調・誤り訂正部５からトランスポートデコーダ７のＥＭＭ処理部１５に送られてくる。受信しながらの視聴時と同様の手順にしてトランスポートデコーダ７（本体およびＥＭＭ処理部１５）およびＩＣカード６にて、デマルチプレクス、解読、デスクランブルまで行われたＴＳが、Ｄ−Ｉ／Ｆ８を介して、記録再生装置２へ送られる。このとき、システム制御部９は、Ｄ−Ｉ／Ｆ８の出力に対して制御を行う。記録再生装置２において、記録再生部１３は、Ｄ−Ｉ／Ｆ１２を介して、前記ＴＳを受け取り、記録再生制御部１４の制御にしたがって、これを記録媒体（図示せず）に記録する。
【００４４】
なお、トランスポートデコーダ７にて、前記ディジタル放送データのＴＳのデスクランブルおよびデマルチプレクスを行わずに記録すること、あるいは、デスクランブルを行わずに記録することも想定される。この場合は、当該ディジタル放送データは、ＥＭＭ処理部１５およびトランスポートデコーダ７本体をスルーして、あるいは、ＥＭＭ処理部１５でデマルチプレクスのみ行われた後トランスポートデコーダ７本体をスルーして、Ｄ−Ｉ／Ｆ８を介して、記録再生装置２へ送られる。このとき、システム制御部９は、Ｄ−Ｉ／Ｆ８の出力に対して制御を行う。記録再生装置２において、記録再生部１３は、Ｄ−Ｉ／Ｆ１２を介して、前記ＴＳを受け取り、記録再生制御部１４の制御にしたがって、これを記録媒体（図示せず）に記録する。
【００４５】
なお、受信したＴＳ中にＥＭＭのＴＰが含まれているか否か、それぞれの場合のデスクランブルまでの手順は、受信しながらの視聴時の手順に準ずる。ただし、前記ＴＳ中にＥＭＭのＴＰが含まれている場合は、このＴＰを抽出するためのデマルチプレクスが必要となる。また、受信しながら視聴することと並行して、記録媒体に記録することも可能である。さらに、ディジタル放送データとともに、ＩＣカード６に記憶されている情報の一部を記録媒体に記録させる必要がある場合、記録時に、システム制御部９は、必要な情報をＩＣカード６から抽出し、コマンド形式に変換して、Ｄ−Ｉ／Ｆ８を介して、記録再生装置２へ送り、記録再生制御部１４は、Ｄ−Ｉ／Ｆ１３を介して、これを受け取り、これを記録媒体に記録できる形式に変換し、記録再生部１３によって、ディジタル放送データが記録される記録媒体に記録させることも可能である。
【００４６】
次に、ディジタル放送データを記録媒体から再生する場合の、本実施の形態におけるディジタル放送受信再生システムの動作について説明する。
【００４７】
記録再生部１３は、記録媒体（図示せず）に記録されたディジタル放送データのＴＳを再生し、記録再生制御部１４の制御にしたがって、Ｄ−Ｉ／Ｆ１２を介して、これを受信装置１へ送る。受信装置１において、記録再生装置２から送られてきたＴＳは、Ｄ−Ｉ／Ｆ８を介して、トランスポートデコーダ７本体に送られる。このＴＳが、デスクランブルまで行われたものであれば、トランスポートデコーダ７本体は、このＴＳをストリーム変換し、デコーダ１０へ出力する。デコーダ１０は、これらのデータストリームを復号して、ディスプレイ３、スピーカ（図示せず）等へ出力する。この再生出力中、この再生出力に関するトランスポートデコーダ７本体の処理に関わらず、ＥＭＭ処理部１５は、アンテナ４にて受信され、チューナ／復調・誤り訂正部５にて受信しながらの視聴時で説明した処理が行われてから送られてきたディジタル放送データをデマルチプレクスし、そのＴＳ中のＣＡＴを参照している。ＣＡＴを参照した結果、前記ＴＳ中にＥＭＭのＴＰが含まれていると判断した場合は、ＥＭＭのデータを前記ディジタル放送データから分離して、ＩＣカード６に更新、記憶させる。ＩＣカード６の更新、記録は、更新用ＥＭＭを入手後直ちに行うとしても良いし、別の記憶場所に一時記憶させておき、再生終了後に行うとしても良い。
【００４８】
再生されたＴＳがデスクランブルを行われずに記録されたものである場合は、上記と同様にしてトランスポートデコーダ７本体に送られてきた再生データのＴＳは、トランスポートデコーダ７本体およびＩＣカード６において、受信しながらの視聴時と同じ手順にて、デマルチプレクス（前記ＴＳがデマルチプレクスされずに記録されている場合）、解読、デスクランブル、ストリーム変換が行われ、デコーダ１０において復号された前記ディジタル放送データのデータストリームが、ディスプレイ３、スピーカ（図示せず）等へ出力される。この再生出力中に、ＴＳ中にＥＭＭのＴＰが含まれているディジタル放送波が受信された場合の処理手順は、上記と同様である。
【００４９】
以上説明したところから、本実施の形態におけるディジタル放送受信再生システムは、記録媒体に記録されたデータの再生にかかわらず、確実にＥＭＭを更新できるディジタル放送受信再生システムであることがわかる。
【００５１】
（第２の実施の形態）
以下に、本発明の第２の実施の形態を図面を参照して説明する。本実施の形態が上述した第１の実施の形態と異なる点は、本発明のＥＭＭ処理部の替わりに、本発明の多重化手段を備えることに関する点である。したがって、本実施の形態において、第１の実施の形態と同様のものについては、同一符号を付与し、説明を省略する。また、特に説明のないものについては、第１の実施の形態と同じとする。
【００５２】
図２は、本発明の第２の実施の形態におけるディジタル放送受信再生システムの構成を示すブロック図である。本実施の形態におけるディジタル放送受信再生システムの構成が、第１の実施の形態におけるディジタル放送受信再生システムの構成と異なるのは、受信装置１が、ＥＭＭ分離部１６およびマルチプレクス部１７を備え、トランスポートデコーダ７が、第１の実施の形態において備えていたＥＭＭ処理部１５を備えていないことである。ただし、トランスポートデコーダ７は、チューナ／復調・誤り訂正部５から送られてくるディジタル放送データからＥＭＭを分離してＩＣカード６に記憶させる機能を有している。すなわち、図８で示した従来例のトランスポートデコーダ７と同じ機能を有している。ここで、ＥＭＭ分離部１６およびマルチプレクス部１７を合わせたものは、本発明の多重化手段の機能を有している。
【００５３】
次に、このような本実施の形態の動作を説明する。
【００５４】
まず、ディジタル放送データを、受信しながら視聴する場合の、本実施の形態におけるディジタル放送受信再生システムの動作について説明する。
【００５５】
チューナ／復調・誤り訂正部５は、アンテナ４を介して、通信衛星のトランスポンダからのディジタル放送波を受信し、そのディジタル放送波を増幅し、周波数変換した後、信号波形を整形して復調し、信号の誤りを訂正して、受信装置１内で使用するディジタル放送データとして出力する。このとき、スイッチ１１は、図２のとおり、接点ａ側に切り換えられている。出力されたディジタル放送データは、スイッチ１１を介して、トランスポートデコーダ７に送られる。
【００５６】
トランスポートデコーダ７は、送られてきたディジタル放送データをデマルチプレクスし、そのＴＳ中のＣＡＴを参照して、前記ＴＳ中にＥＭＭのＴＰが含まれていると判断した場合は、ＥＭＭのデータを前記ディジタル放送データから分離して、ＩＣカード６に更新、記憶させる。ＩＣカード６は、ＥＭＭをマスタ鍵を用いて解読し、解読して得られたワーク鍵を用いてＥＣＭを解読する。さらに、ＩＣカード６は、ＥＭＭ中の各ユーザーの契約情報とＥＣＭ中の番組の属性情報とを照合して、当該番組を視聴する資格があると判定すると（いわゆる、ＣＡ；Ｃｏｎｄｉｔｉｏｎａｌ  Ａｃｃｅｓｓ）、ＥＣＭを解読して得られたスクランブル鍵をトランスポートデコーダ７に渡す。トランスポートデコーダ７は、スクランブル鍵を用いてデマルチプレクス後のＴＳをデスクランブルして、前記ＴＳをストリーム変換し、デコーダ１０へ出力する。デコーダ１０は、これらのデータストリームを復号して、ディスプレイ３、スピーカ（図示せず）等へ出力する。
【００５７】
トランスポートデコーダ７が、前記ディジタル放送データのＴＳ中にＥＭＭのＴＰが含まれていないと判断した場合は、上記説明中の送られてきたＥＭＭの替わりに、ＩＣカード６に記憶されているＥＭＭを用いて、上記説明と同じ手順にて、デマルチプレクス、解読、デスクランブル、ストリーム変換が行われ、デコーダ１０において復号された前記ディジタル放送データのデータストリームが、ディスプレイ３、スピーカ（図示せず）等へ出力される。
【００５８】
次に、ディジタル放送データを記録媒体に記録する場合の、本実施の形態におけるディジタル放送受信再生システムの動作について説明する。
【００５９】
受信しながらの視聴時と同様にして、ディジタル放送データが、チューナ／復調・誤り訂正部５からスイッチ１１を介してトランスポートデコーダ７に送られてくる。このとき、受信しながらの視聴時と同様に、スイッチ１１は、図２のとおり、接点ａ側に切り換えられている。受信しながらの視聴時と同様の手順にして、トランスポートデコーダ７およびＩＣカード６にて、デマルチプレクス、解読、デスクランブルまで行われたＴＳが、Ｄ−Ｉ／Ｆ８を介して、記録再生装置２へ送られる。このとき、システム制御部９は、Ｄ−Ｉ／Ｆ８の出力に対して制御を行う。記録再生装置２において、記録再生部１３は、Ｄ−Ｉ／Ｆ１２を介して、前記ＴＳを受け取り、記録再生制御部１４の制御にしたがって、これを記録媒体（図示せず）に記録する。
【００６０】
なお、トランスポートデコーダ７にて、前記ディジタル放送データのＴＳのデスクランブルおよびデマルチプレクスを行わずに記録すること、あるいは、デスクランブルを行わずに記録することも想定される。この場合は、当該ディジタル放送データは、トランスポートデコーダ７をスルーし、あるいは、トランスポートデコーダ７でデマルチプレクスのみ行われた後、Ｄ−Ｉ／Ｆ８を介して、記録再生装置２へ送られる。このとき、システム制御部９は、Ｄ−Ｉ／Ｆ８の出力に対して制御を行う。記録再生装置２において、記録再生部１３は、Ｄ−Ｉ／Ｆ１２を介して、前記ＴＳを受け取り、記録再生制御部１４の制御にしたがって、これを記録媒体（図示せず）に記録する。
【００６１】
なお、受信したＴＳ中にＥＭＭのＴＰが含まれているか否か、それぞれの場合のデスクランブルまでの手順は、受信しながらの視聴時の手順に準ずる。ただし、前記ＴＳ中にＥＭＭのＴＰが含まれている場合は、このＴＰを抽出するためのデマルチプレクスが必要となる。また、受信しながら視聴することと並行して、記録媒体に記録することも可能である。さらに、ディジタル放送データとともに、ＩＣカード６に記憶されている情報の一部を記録媒体に記録させる必要がある場合、記録時に、システム制御部９は、必要な情報をＩＣカード６から抽出し、コマンド形式に変換して、Ｄ−Ｉ／Ｆ８を介して、記録再生装置２へ送り、記録再生制御部１４は、Ｄ−Ｉ／Ｆ１３を介して、これを受け取り、これを記録媒体に記録できる形式に変換し、記録再生部１３によって、ディジタル放送データが記録される記録媒体に記録させることも可能である。
【００６２】
次に、ディジタル放送データを記録媒体から再生する場合の、本実施の形態におけるディジタル放送受信再生システムの動作について説明する。
記録再生部１３は、記録媒体（図示せず）に記録されたディジタル放送データのＴＳを再生し、記録再生制御部１４の制御にしたがって、Ｄ−Ｉ／Ｆ１２を介して、これを受信装置１へ送る。受信装置１において、スイッチ１１は、接点ｂ側に切り換えられている。したがって、記録再生装置２から送られてきた再生データのＴＳは、Ｄ−Ｉ／Ｆ８、マルチプレクス部１７およびスイッチ１１を介して、トランスポートデコーダ７に送られる。このＴＳが、デスクランブルまで行われたものであれば、トランスポートデコーダ７は、このＴＳをストリーム変換し、デコーダ１０へ出力する。デコーダ１０は、これらのデータストリームを復号して、ディスプレイ３、スピーカ（図示せず）等へ出力する。この再生出力中、ＥＭＭ分離部１６は、アンテナ４にて受信され、チューナ／復調・誤り訂正部５にて受信しながらの視聴時で説明した処理が行われてから送られてきたディジタル放送データのＴＳ中のＣＡＴを参照している。ＣＡＴを参照した結果、前記ＴＳ中にＥＭＭのＴＰが含まれていると判断した場合は、ＥＭＭのデータを前記ディジタル放送データから分離する。分離されたＥＭＭのデータは、マルチプレクス部１７に送られ、再生中のデータのＴＳにマルチプレクスされた後、再生中のデータのＴＳとともに、スイッチ１１を介して、トランスポートデコーダ７に送られる。トランスポートデコーダ７は、ＥＭＭのデータを再生中のデータから分離して、ＩＣカード６に更新、記憶させる。
【００６３】
再生されたＴＳがデスクランブルを行われずに記録されたものである場合は、上記と同様にしてトランスポートデコーダ７に送られてきた再生データのＴＳは、トランスポートデコーダ７およびＩＣカード６において、受信しながらの視聴時と同じ手順にて、デマルチプレクス（前記ＴＳがデマルチプレクスされずに記録されている場合）、解読、デスクランブル、ストリーム変換が行われ、デコーダ１０において復号された前記ディジタル放送データのデータストリームが、ディスプレイ３、スピーカ（図示せず）等へ出力される。この再生出力中に、ＴＳ中にＥＭＭのＴＰが含まれているディジタル放送波が受信された場合の処理手順は、上記と同様である。
【００６４】
以上説明したところから、本実施の形態におけるディジタル放送受信再生システムは、記録媒体に記録されたデータの再生にかかわらず、確実にＥＭＭを更新できるディジタル放送受信再生システムであることがわかる。
【００６５】
（第３の実施の形態）
以下に、本発明の第３の実施の形態を図面を参照して説明する。本実施の形態が上述した第２の実施の形態と異なる点は、本発明の多重化手段の替わりに、本発明の一時記憶手段を備えることに関する点である。したがって、本実施の形態において、第２の実施の形態と同様のものについては、同一符号を付与し、説明を省略する。また、特に説明のないものについては、第２の実施の形態と同じとする。
【００６６】
図３は、本発明の第３の実施の形態におけるディジタル放送受信再生システムの構成を示すブロック図である。本実施の形態におけるディジタル放送受信再生システムの構成が、第２の実施の形態におけるディジタル放送受信再生システムの構成と異なるのは、受信装置１が、第２の実施の形態において備えていたマルチプレクス部１７の替わりに、ＥＭＭ一時記憶部１８を備えていることである。ここで、ＥＭＭ分離部１６およびＥＭＭ一時記憶部１８を合わせたものは、本発明の一時記憶手段の機能を有している。
【００６７】
次に、このような本実施の形態の動作を説明する。
【００６８】
ディジタル放送データを、受信しながら視聴する場合、および、ディジタル放送データを記録媒体に記録する場合の、本実施の形態におけるディジタル放送受信再生システムの動作については、上述した第２の実施の形態におけるディジタル放送受信再生システムの動作と同様であるので、説明を省略する。
【００６９】
ディジタル放送データを記録媒体から再生する場合の、本実施の形態におけるディジタル放送受信再生システムの動作について説明する。
【００７０】
記録再生部１３は、記録媒体（図示せず）に記録されたディジタル放送データのＴＳを再生し、記録再生制御部１４の制御にしたがって、Ｄ−Ｉ／Ｆ１２を介して、これを受信装置１へ送る。受信装置１において、スイッチ１１は、接点ｂ側に切り換えられている。したがって、記録再生装置２から送られてきた再生データのＴＳは、Ｄ−Ｉ／Ｆ８およびスイッチ１１を介して、トランスポートデコーダ７に送られる。このＴＳが、デスクランブルまで行われたものであれば、トランスポートデコーダ７は、このＴＳをストリーム変換し、デコーダ１０へ出力する。デコーダ１０は、これらのデータストリームを復号して、ディスプレイ３、スピーカ（図示せず）等へ出力する。この再生出力中、ＥＭＭ分離部１６は、アンテナ４にて受信され、チューナ／復調・誤り訂正部５にて受信しながらの視聴時で説明した処理が行われてから送られてきたディジタル放送データのＴＳ中のＣＡＴを参照している。ＣＡＴを参照した結果、前記ＴＳ中にＥＭＭのＴＰが含まれていると判断した場合は、ＥＭＭのデータを前記ディジタル放送データから分離する。分離されたＥＭＭのデータは、ＥＭＭ一時記憶部１８に送られて記憶される。ＥＭＭ一時記憶部１８に記憶されたＥＭＭのデータは、再生終了後に、トランスポートデコーダ７に送られて、ＩＣカード６に更新、記憶される。
【００７１】
再生されたＴＳがデスクランブルを行われずに記録されたものである場合は、上記と同様にしてトランスポートデコーダ７に送られてきた再生データのＴＳは、トランスポートデコーダ７およびＩＣカード６において、受信しながらの視聴時と同じ手順にて、デマルチプレクス（前記ＴＳがデマルチプレクスされずに記録されている場合）、解読、デスクランブル、ストリーム変換が行われ、デコーダ１０において復号された前記ディジタル放送データのデータストリームが、ディスプレイ３、スピーカ（図示せず）等へ出力される。この再生出力中に、ＴＳ中にＥＭＭのＴＰが含まれているディジタル放送波が受信された場合の処理手順は、上記と同様である。
【００７２】
以上説明したところから、本実施の形態におけるディジタル放送受信再生システムは、記録媒体に記録されたデータの再生にかかわらず、確実にＥＭＭを更新できるディジタル放送受信再生システムであることがわかる。
【００７３】
なお、上述した第１〜第３の実施の形態におけるディジタル放送受信再生システムは、記録媒体へデータを記録する機能を有しているとして説明したが、これに限らず、記録媒体とのデータのやりとりに関しての機能としては、少なくとも記録されたデータを再生する機能があればよい。
【００７４】
また、上述した第１〜第３の実施の形態においては、ＭＰＥＧ２システムを用いたデジタル通信衛星放送を例として説明したが、これに限らず、多重化されたディジタル放送データの送受信に使用される、他のシステムを用いたものであってもよい。
【００７５】
さらに、上述した第１〜第３の実施の形態においては、本発明の各手段は、本発明の受信装置、記録再生装置のいずれかに備えられているとして説明したが、第１〜第３の実施の形態の例に限らず、本発明の再生手段以外の各手段は、本発明の受信装置、記録再生装置のどちらに備えられていてもよい。ただし、受信装置、記録再生装置間にまたがって各手段がデータのやりとりを行う場合は、当該データのやりとりが、記録・再生されるディジタル放送データに悪影響を及ぼさずに、受信装置と記録再生装置との間を転送されるような措置を必要に応じてと実施する。また、本発明の各手段が、受信装置および記録再生装置の機能を一体化した装置に備えられているとしてもよい。
【００７６】
（第４の実施の形態）
以下に、本発明に関連する発明の第４の実施の形態を図面を参照して説明する。
【００７７】
図４は、本発明に関連する発明の第４の実施の形態におけるディジタル放送送信方法の手順を示すフロー図である。本実施の形態は、図８で示したディジタル放送受信再生システムのような従来考えられているディジタル放送受信再生システムを対象とするディジタル放送送信方法に関するものである。
【００７８】
ディジタル放送の番組をユーザーが記録媒体に記録し、それを再生して視聴する場合については、単に受信しながら視聴のみをする場合とは別に料金を徴収する課金システムの導入が検討されている。この課金システムを採用するディジタル放送事業会社等においては、記録再生のための課金契約によって、ディジタル放送用の記録再生装置（以下、ＤＶＣＲと記す。）を有しているユーザーを把握している。したがって、ディジタル放送の送信側において、各ユーザーへのＥＭＭデータの送信前に、各ＥＭＭがＤＶＣＲの契約ユーザーに対応するものであるか否かの判定が可能である。
【００７９】
すなわち、まず、更新用ＥＭＭ毎に、そのＥＭＭがＤＶＣＲの契約ユーザーに対応するものであるか否かを判定する（ステップＳ１）。ＤＶＣＲの契約ユーザーに対応するものであると、当該ＥＭＭデータを送信する頻度を高く設定する（ステップＳ２）。ＤＶＣＲの契約ユーザーに対応するものでないと、当該ＥＭＭデータを送信する頻度は通常どおりと設定する（ステップＳ３）。これらの設定を行った後、各ＥＭＭデータを送信する（ステップＳ４）。
【００８０】
図７は、送信側のシステムの構成を示すブロック図である。各システム中で、・で示したものは、主な機能を示す。なお、図７中に示したシステムの他に、ＥＭＭデータの送信を制御するＥＭＭ制御部（図示せず）が送信側に備えられている。図７を参照して上記手順を説明する。
【００８１】
ここで、ＥＭＭ制御部は、各ユーザーのＥＭＭ作成時において、顧客管理システム２３が管理している視聴契約情報により、当該ユーザーがＤＶＣＲ契約ユーザーかどうかを判定し、ＤＶＣＲ契約ユーザーであれば、スクランブル管理システム２４に、ＤＶＣＲ未契約ユーザーより多くＥＭＭパケットを作成させて、番組送出システム２６により、送出させる。
【００８２】
こうすることによって、ＤＶＣＲの契約ユーザーに対しては、データ再生時以外に、自分宛の更新用ＥＭＭデータが送信される確率が高くなり、ＥＭＭ更新の確実性が高まる。
【００８３】
以上説明したところから、本実施の形態におけるディジタル放送送信方法は、記録媒体に記録されたデータの再生にかかわらず、確実にＥＭＭを更新できるディジタル放送送信方法であることがわかる。
【００８４】
（第５の実施の形態）
以下に、本発明に関連する発明の第５の実施の形態を図面を参照して説明する。
【００８５】
図５は、本発明に関連する発明の第５の実施の形態におけるディジタル放送送信方法の手順を示すフロー図である。本実施の形態も、図８で示したディジタル放送受信再生システムのような従来考えられているディジタル放送受信再生システムを対象とするディジタル放送送信方法に関するものである。
【００８６】
ディジタル放送の番組毎の視聴率は、ディジタル放送事業会社等にとって、重要なファクターであるため、当該事業会社等は、何らかの方法で視聴率を調査して入手している。また、第４の実施の形態において説明したように、当該事業会社等は、記録再生のための課金契約によって、ＤＶＣＲを有しているユーザーを把握している。したがって、ディジタル放送の送信側において、各ユーザーへのＥＭＭデータの送信前に、ＤＶＣＲの契約ユーザーに対応するＥＭＭを選別して、これらのＥＭＭデータを高視聴率番組が含まれるディジタル放送データとともに送信することは可能である。
【００８７】
すなわち、まず、送信しようとするディジタル放送データが高視聴率番組を含むものであるか否か（当該ディジタル放送データ中に視聴率が所定の値より大きな番組が含まれているか否か）を判定する（ステップＳ１１）。高視聴率番組を含むものであると、それとともに、ＤＶＣＲの契約ユーザーに対応するＥＭＭデータを送信するよう設定する（ステップＳ１２）。高視聴率番組を含むものでないと、ＤＶＣＲの契約ユーザーに対応しないＥＭＭデータを送信するよう設定する（ステップＳ１３）。これらの設定を行った後、各ＥＭＭデータを送信する（ステップＳ１４）。
【００８８】
ここで、第４の実施の形態において説明した図７を参照して上記手順を説明する。ＥＭＭ制御部（図示せず）は、顧客管理システム２３が管理している視聴履歴情報により、送信しようとするディジタル放送データが高視聴率番組を含むものであるか否かを判定し、高視聴率番組を含むものであれば、スクランブル管理システム２４に、ＤＶＣＲ契約ユーザーのＥＭＭパケットを作成させて、番組送出システム２６により、送出させる。
【００８９】
一般的に考えて、高視聴率の番組の放映時には、ユーザーの多くは、当該番組を視聴もしくは記録媒体へ記録していると思われ、このときに別のデータを再生しているユーザーは少ないと考えられる。したがって、上記手順によりＥＭＭデータを送信することによって、ＤＶＣＲの契約ユーザーに対しては、データ再生時以外に、自分宛の更新用ＥＭＭデータが送信される確率が高くなり、ＥＭＭ更新の確実性が高まる。
【００９０】
以上説明したところから、本実施の形態におけるディジタル放送送信方法は、記録媒体に記録されたデータの再生にかかわらず、確実にＥＭＭを更新できるディジタル放送送信方法であることがわかる。
【００９１】
（第６の実施の形態）
以下に、本発明に関連する発明の第６の実施の形態を図面を参照して説明する。
【００９２】
図６は、本発明に関連する発明の第６の実施の形態におけるディジタル放送送信方法の手順を示すフロー図である。本実施の形態も、図８で示したディジタル放送受信再生システムのような従来考えられているディジタル放送受信再生システムを対象とするディジタル放送送信方法に関するものである。
【００９３】
ディジタル放送においては、ユーザーが見たい番組を選択して有料で視聴するペイ・パー・ビュー・システムの導入が検討されている。このペイ・パー・ビュー・システムを採用するディジタル放送事業会社等においては、ユーザー毎に契約番組を管理する必要があり、当然、番組毎にどのユーザーが契約しているかを抽出できる。また、ペイ・パー・ビュー・システムに限らず、特定の番組毎の視聴に対して契約を行うことも可能である。さらに、第４の実施の形態において説明したように、当該事業会社等は、記録再生のための課金契約によって、ＤＶＣＲを有しているユーザーを把握している。したがって、ディジタル放送の送信側において、各ユーザーへのＥＭＭデータの送信前に、各ＤＶＣＲの契約ユーザーがペイ・パー・ビュー等の番組契約をしている番組を抽出して、当該ユーザーに対応するＥＭＭをこの契約番組が含まれるディジタル放送データとともに送信することは可能である。
【００９４】
すなわち、まず、送信しようとするディジタル放送データが、送信しようとするＥＭＭに対応するＤＶＣＲの契約ユーザーがペイ・パー・ビュー等の番組契約をしている番組を含むものであるか否かを判定する（ステップＳ３１）。ＤＶＣＲの契約ユーザーがペイ・パー・ビュー等の番組契約をしている番組を含むものであると、それとともに、ＤＶＣＲの契約ユーザーに対応するＥＭＭデータを送信するよう設定する（ステップＳ３２）。ＤＶＣＲの契約ユーザーがペイ・パー・ビュー等の番組契約をしている番組を含むものでないと、ＤＶＣＲの契約ユーザーに対応しないＥＭＭデータを送信するよう設定する（ステップＳ３３）。これらの設定を行った後、各ＥＭＭデータを送信する（ステップＳ３４）。
【００９５】
ここで、第４の実施の形態において説明した図７を参照して上記手順を説明する。ＥＭＭ制御部（図示せず）は、顧客管理システム２３が管理している視聴契約情報により、送信しようとするディジタル放送データ中の番組についてペイ・パー・ビュー等の番組契約をしているＤＶＣＲ契約ユーザーを抽出し、スクランブル管理システム２４に、当該ＤＶＣＲ契約ユーザーのＥＭＭパケットを作成させて、番組送出システム２６により、送出させる。
【００９６】
一般的に考えて、自分が料金を払って契約した番組の放映時には、ユーザーの多くは、当該番組を視聴もしくは記録媒体へ記録していると思われ、このときに別のデータを再生しているユーザーは少ないと考えられる。したがって、上記手順によりＥＭＭデータを送信することによって、ＤＶＣＲの契約ユーザーに対しては、データ再生時以外に、自分宛の更新用ＥＭＭデータが送信される確率が高くなり、ＥＭＭ更新の確実性が高まる。
【００９７】
以上説明したところから、本実施の形態におけるディジタル放送送信方法は、記録媒体に記録されたデータの再生にかかわらず、確実にＥＭＭを更新できるディジタル放送送信方法であることがわかる。
【００９８】
なお、上述した第４〜第６の実施の形態におけるディジタル放送送信方法は、それぞれ単独に実施してもよいし、いずれか２つ、３つ全部を併用すると、更に確実にＥＭＭを更新できる。
【００９９】
【発明の効果】
以上説明したところから明らかなように、請求項１〜４の本発明は、記録媒体に記録されたデータの再生にかかわらず、確実にＥＭＭを更新できるディジタル放送受信再生システムを提供することができる。
【図面の簡単な説明】
【図１】本発明の第１の実施の形態におけるディジタル放送受信再生システムの構成を示すブロック図である。
【図２】本発明の第２の実施の形態におけるディジタル放送受信再生システムの構成を示すブロック図である。
【図３】本発明の第３の実施の形態におけるディジタル放送受信再生システムの構成を示すブロック図である。
【図４】  本発明に関連する発明の第４の実施の形態におけるディジタル放送送信方法の手順を示すフロー図である。
【図５】  本発明に関連する発明の第５の実施の形態におけるディジタル放送送信方法の手順を示すフロー図である。
【図６】  本発明に関連する発明の第６の実施の形態におけるディジタル放送送信方法の手順を示すフロー図である。
【図７】送信側のシステムの構成を示すブロック図である。
【図８】従来のディジタル放送受信再生システムの構成を示すブロック図である。
【符号の説明】
１  受信装置
２  記録再生装置
３  ディスプレイ
４  アンテナ
５  チューナ／復調・誤り訂正部
６  ＩＣカード
７  トランスポートデコーダ
８、１２  Ｄ−Ｉ／Ｆ
９  システム制御部
１０  デコーダ
１１  スイッチ
１３  記録再生部
１４  記録再生制御部
１５  ＥＭＭ処理部
１６  ＥＭＭ分離部
１７  マルチプレクス部
１８  ＥＭＭ一時記憶部
２０  衛星
２１  視聴者
２２  公衆回線
２３  顧客管理システム
２４  スクランブル管理システム
２５  番組統合管理システム
２６  番組送出システム
【図１】
0003714789.tif 000002
【図２】
0003714789.tif 000003
【図３】
0003714789.tif 000004
【図４】
0003714789.tif 000005
【図５】
0003714789.tif 000006
【図６】
0003714789.tif 000007
【図７】
0003714789.tif 000008
【図８】
0003714789.tif 000009